(57)【要約】【課題】同時給湯開始時、終了時などのように、給湯温度が変動しやすい場合においても給湯温度の安定性を向上する。【解決手段】湯と水を混合する湯水混合部６、７と、湯水混合部の上流に絞り部１３を設けた２系統の給水回路を備え、絞り部１３を湯水混合部６、７の上流側に設けることにより、湯水混合部６、７における流量変化に伴う湯、水の圧力バランスの変化を抑えることができ、給湯流量変化による湯水混合比率の変化が小さくなるため、同時給湯時等の給湯温度の安定性を向上できる。【選択図】図１
2005147497.tif 000002
【特許請求の範囲】
【請求項１】
貯湯タンクと、貯湯タンクの湯を出湯する出湯配管と、前記貯湯タンクに給水する水配管と、前記出湯及び水配管からの湯と水を混合する湯水混合部と、湯水混合部出口に接続した給湯配管と、前記給湯配管の湯温を検知する給湯温度検知手段と、給湯温度検知手段の湯温信号により湯水の混合比率を制御する制御部とを備え、前記出湯配管および水配管には絞り部を設け、給水圧及び出湯圧の変動を緩和する給湯経路とした貯湯式給湯機。
【請求項２】
給湯経路を２系統備え、同時給湯を可能にした請求項１に記載の貯湯式給湯機。
【請求項３】
給湯配管に流量検知部を設け、絞り部は圧損の調整可能な構成とした請求項１または２に記載の貯湯式給湯機。
【発明の詳細な説明】
【技術分野】
【０００１】
本発明は、貯湯タンクの湯と水を混合して給湯する貯湯式給湯機に関するものである。
【背景技術】
【０００２】
従来、この種の貯湯式給湯機は給湯時の流量変動等により、混合部における湯水の圧力バランスが変化して、給湯温度が変動するという課題があった。特に、２系統の同時給湯時には給湯温度変動がより大きくなる。例えば、カランから給湯中に風呂湯張りした場合などにカランからの給湯温度が変動する。その給湯温度変動を抑えるために、同時給湯時は、湯水混合部の制御を特別に設定するなどの対策を行っている（例えば、特許文献１、特許文献２参照）。
【０００３】
図３は、上記特許文献１に記載された従来の貯湯式給湯機を示すものである。図３に示すように、貯湯タンク１と、貯湯タンクの湯を出湯する出湯配管２、３と、水配管４、５と、それぞれの配管からの湯と水を混合する湯水混合部６、７と、湯水混合部出口の流量検知部８、９と、給湯温度検知部１０、１１と、湯水混合比部を制御する制御部１２から構成されている。
【特許文献１】特開２００２−１１５２９１号公報
【特許文献２】特開２００２−４８４０９号公報
【発明の開示】
【発明が解決しようとする課題】
【０００４】
しかしながら、前記従来の構成では、同時給湯時に、それぞれの給湯経路の給湯流量比に基づき、混合部における湯水の圧力バランスが変化して変動する湯水混合比と混合部の制御定数の関係式をあらかじめ複数設定しておき、実際の給湯量の比に基づき、関係式を決定し、湯水混合部を制御して同時給湯の給湯温度の安定性を向上させている。しかし、同時給湯の開始時、終了時には流量変化を検知後、関係式の変更し、湯水混合部を制御するため、関係式の変化が大きいほど、過渡期において給湯温度の変動が大きく発生するという課題を有していた。
【０００５】
また、この変動を抑制するために湯水混合部の応答性をアップすると安定時においも給湯温度のハンチングが収まらなくなるという課題が発生する。
【０００６】
本発明は、前記従来の課題を解決するもので、複数の給湯経路で同時使用した場合でも給湯温度の安定性を向上した貯湯式給湯機を提供することを目的とする。
【課題を解決するための手段】
【０００７】
前記従来の課題を解決するために、本発明の貯湯式給湯機は、貯湯タンクと、貯湯タンクの湯を出湯する出湯配管と、前記貯湯タンクに給水する水配管と、前記出湯及び水配管からの湯と水を混合する湯水混合部と、湯水混合部出口に接続した給湯配管と、前記給湯配管の湯温を検知する給湯温度検知手段と、給湯温度検知手段の湯温信号により湯水の混合比率を制御する制御部とを備え、前記出湯配管および水配管には絞り部を設け、給水圧及び出湯圧の変動を緩和する給湯経路としたものである。
【０００８】
これによって、同時給湯開始時、終了時などのように流量が変化する場合、貯湯式給湯機においては貯湯タンクを通ってくる湯と水の圧力バランスが変化し、湯水混合部の混合比率が変動する。一般的には、給湯流量がアップする場合は給湯温度が下がり、給湯流量がダウンする場合は、給湯温度が上がる傾向がある。本発明は絞り部を混合部の上流側に設けることにより、湯水混合部における流量変化に伴う湯水の圧力バランスの変化を抑えることができ、給湯温度の安定性を向上できる。
【発明の効果】
【０００９】
本発明の貯湯式給湯機は、同時給湯開始時、終了時などのように、湯水混合部の湯水の圧力バランスが変化し、給湯温度が変動しやすい場合においても、安定した給湯温度を実現することができる。
【発明を実施するための最良の形態】
【００１０】
第１の発明は、貯湯タンクと、貯湯タンクの湯を出湯する出湯配管と、前記貯湯タンクに給水する水配管と、前記出湯及び水配管からの湯と水を混合する湯水混合部と、湯水混合部出口に接続した給湯配管と、前記給湯配管の湯温を検知する給湯温度検知手段と、給湯温度検知手段の湯温信号により湯水の混合比率を制御する制御部とを備え、前記出湯配管および水配管には絞り部を設け、給水圧及び出湯圧の変動を緩和する給湯経路としたもので、湯水混合部における流量変化に伴う湯、水の圧力バランスの変化を抑えることができ、給湯温度の安定性を向上できる。
【００１１】
第２の発明は、特に、第１の発明において、給湯経路を２系統備えることにより、同時給湯に伴う、例えば、カランから給湯中に風呂湯張りした場合などに、湯水の圧力バランスの変化を抑えることができ、給湯温度の安定性を向上できる。
【００１２】
第３の発明は、特に、第１または第２の発明において、給湯配管に流量検知部を設け、絞り部は圧損の調整可能な構成とすることにより、絞り部の圧力バランスの変化を抑える効果が出にくい低流量時やそれぞれの湯水の流量ごとに最適な圧損をつけてやることで、給湯温度の安定性をより向上でき、かつ、快適な給湯流量を確保することができる。
【００１３】
以下、本発明の実施の形態について、図面を参照しながら説明する。なお、この実施の形態によって本発明が限定されるものではない。
【００１４】
（実施の形態１）
図１は、本発明の第２１実施の形態における貯湯式給湯機の構成図を示すものである。
【００１５】
図１において、貯湯タンク１と、貯湯タンクの湯を出湯する出湯配管２、３と、水配管４、５と、それぞれの配管からの湯と水を混合する湯水混合部６、７と、湯水混合部出口の給湯配管８、９と、給湯温度検知部１０、１１と、給湯温度検知部１０、１１の信号により湯水の混合比率を制御する制御部１２、前記出湯配管２、３および水配管４、５に絞り部１３を設けた２系統の給水回路から構成している。
【００１６】
以上のように構成された貯湯式給湯機について、以下その動作、作用を説明する。
【００１７】
まず、給湯する場合、出湯配管２、３からの湯と、水配管４、５からの水を湯水混合部６、７で混合し、給湯温度検知部１０、１１からの信号でフィードバック制御しながら、設定温度の湯を供給する。
【００１８】
以上のように、本実施の形態においては、絞り部１３を湯水混合部６、７の上流側に設けることにより、湯水混合部６、７における流量変化に伴う湯、水の圧力バランスの変化を抑えることができ、給湯流量変化による湯水混合比率の変化が小さくなるため、同時給湯時等の給湯温度の安定性を向上できる。
【００１９】
また、本実施の形態では、絞り部１３を出湯配管２、３と水配管４、５に全て設けなくとも、湯水混合部６、７における流量変化に伴う湯、水の圧力バランスの変化を抑えるために必要な個所だけ設けることによっても、同時給湯時等の給湯温度の安定性を向上できる。
【００２０】
（実施の形態２）
図２は、本発明の第２の実施の形態における貯湯式給湯機の構成図を示すものである。
【００２１】
図２において、貯湯タンク１と、貯湯タンクの湯を出湯する出湯配管２、３と、水配管４、５と、それぞれの配管からの湯と水を混合する湯水混合部６、７と、湯水混合部出口の給湯配管８、９と、給湯温度検知部１０、１１と、給湯流量検知部１４、１５と、出湯配管２、３および水配管４、５に絞り部１３と、給湯温度検知部１０、１１と給湯流量検知部１４、１５の信号により湯水の混合比率と絞り部１３の開度を制御する制御部１２を設けた２系統の給水回路から構成している。
【００２２】
以上のように構成された貯湯式給湯機について、以下その動作、作用を説明する。
【００２３】
まず、給湯する場合、出湯配管２、３からの湯と、水配管４、５からの水を湯水混合部６、７で混合し、給湯温度検知部１０、１１からの信号でフィードバック制御しながら、設定温度の湯を供給する。このとき同時に、給湯流量検知部１４、１５からの信号により絞り部１３の開度を最適に制御する。
【００２４】
以上のように、本実施の形態においては、絞り部１３を湯水混合部６、７の上流側に設け、給湯流量によってその開度を最適値に制御することにより、絞り部１３の圧力バランスの変化を抑える効果が出にくい低流量時やそれぞれの湯水の流量ごとに最適な圧損をつけてやることで、給湯温度の安定性をより向上でき、かつ、快適な給湯流量を確保することができる。なお、実施の形態１および２において、給湯機の熱源は、ガス燃焼・石油燃焼の他、電気を用いたヒータやＣＯ２等を冷媒とするヒートポンプでもよい。
【産業上の利用可能性】
【００２５】
以上のように、本発明にかかる貯湯式給湯機は、湯水混合部の湯水の圧力バランスが変化し、給湯温度が変動しやすい場合においても、安定した給湯温度を実現することができるので、セミ貯湯式の給湯機等の用途にも適用できる。本発明の貯湯式給湯機の適用としては、ガス給湯機・石油給湯機の他、電気給湯機、特にヒートポンプ給湯機などに応用される。
【図面の簡単な説明】
【００２６】
【図１】本発明の実施の形態１における貯湯式給湯機の構成図
【図２】本発明の実施の形態２における貯湯式給湯機の構成図
【図３】従来の貯湯式給湯機の構成図
【符号の説明】
【００２７】
２、３  出湯配管
４、５  水配管
６、７  湯水混合部
８、９  給湯配管
１０、１１  給湯温度検知部
１２  制御部
１３  絞り部
【図１】
2005147497.tif 000003
【図２】
2005147497.tif 000004
【図３】
2005147497.tif 000005